(57)【要約】  【課題】個々の人が自分の安否情報を容易、迅速かつ正確に発信でき、また、他の人が特定の個人の安否情報を容易、迅速かつ正確に確認できるサーバを含むネットワークおよび安否確認システムを提供すること。  【解決手段】サーバ４は、ＧＰＳ携帯電話などの端末５−１，５−２，・・・からの各利用者ごとの安否情報を格納し、格納した安否情報をその通知先として指定された端末と送信系２の地上波放送局６−１，６−２，・・・に送出する。安否情報には位置情報やメッセージが含まれている。地上波放送局６−１，６−２，・・・は、サーバ４から送出されてきた安否情報をデータ放送の形で配信する。ＴＶ端末１２は、放送局から配信されてきた安否情報を受信して表示する。ＴＶ端末１２では特定の安否情報を検索して表示させることもできる。  【選択図】図１
2005276062.tif 000002
【特許請求の範囲】
【請求項１】
自己の位置情報を取得して送信可能な端末からの位置情報を含む安否情報を格納し送出するサーバを含むネットワークであって、
サーバは、放送局を含む通報先を利用者ごとに登録できる安否情報通報先格納領域を有し、端末から送出されてきた安否情報を、該端末の利用者の安否情報通報先格納領域に登録されている安否情報通報先に送出することを特徴とするサーバを含むネットワーク。
【請求項２】
サーバあるいは放送局は、端末から送出されてきた位置情報を地域識別子へ変換する機能を有することを特徴とする請求項１に記載のサーバを含むネットワーク。
【請求項３】
安否情報を特定して検索可能にする検索用プログラムが放送局を介して放送受信端末にダウンロードされることを特徴とする請求項２または３に記載のサーバを含むネットワーク。
【請求項４】
自己の位置情報を取得して送信可能な端末と端末からの位置情報を含む安否情報を格納し送出するサーバを含むネットワークと、放送局を含む送信系と、放送受信端末を含む受信系とから構成され、
サーバは、放送局を含む通報先を利用者ごとに登録できる安否情報通報先格納領域を有し、端末から送出されてきた安否情報を、該端末の利用者の安否情報通報先格納領域に登録されている安否情報通報先に送出し、
放送局は、サーバから送出されてきた安否情報をデータ放送の形で放送受信端末に配信することを特徴とする安否確認システム。
【請求項５】
サーバあるいは放送局は、端末から送出されてきた位置情報を地域識別子へ変換する機能を有することを特徴とする請求項４に記載の安否確認システム。
【請求項６】
安否情報を特定して検索可能にする検索用プログラムが放送局を介して放送受信端末にダウンロードされることを特徴とする請求項４または５に記載の安否確認システム。
【発明の詳細な説明】
【技術分野】
【０００１】
本発明は、サーバを含むネットワークおよび安否確認システムに関し、特に、被災地などの個々の人が自分の安否情報を容易、迅速かつ正確に発信でき、また、その他の地域などの人が特定の個人の安否情報を容易、迅速かつ正確に確認できるサーバを含むネットワークおよび安否確認システムに関する。
【背景技術】
【０００２】
大地震などによる災害発生時には、被災地に固定電話や携帯電話による多くの電話連絡が集中することにより被災地内相互や被災地外から被災地内への電話連絡が困難になり、個別での迅速な安否確認ができなくなることが予想される。このような予想の下、電話連絡に代わる手段として、個々の人の安否情報を集信し、それを放送という形で視聴者へ配信する機能を持つ放送機関の役割が極めて大きいと認識されている。
【０００３】
放送機関への個々の人の安否情報の集信は、個々の人が被災状況を電話で口頭で伝えたり、ＦＡＸで文面で伝えることで行われ、また、放送機関からの視聴者への安否情報の配信は、テレビ放送で被災者名などをテロップにより画面表示したり、ラジオ放送で安否情報を音声放送したりすることで行われるのが普通である。
【特許文献１】特開２００３−１８６９８０号公報
【特許文献２】特開平１１−３３８７９５号公報
【特許文献３】特開平０８−３１６９５５号公報
【発明の開示】
【発明が解決しようとする課題】
【０００４】
しかしながら、放送機関への安否情報の集信および放送機関から視聴者への安否情報の配信は、緊急を要するにもかかわらず手間がかかり、また、正確さに欠けるきらいがある。また、テレビ放送でのテロップによる画面表示やラジオ放送による音声は一過性のものであるため、視聴者は親類縁者など自分が確認したい特定の個人の安否情報を見逃したり聞き逃したりする可能性が大きい。さらに、多くの被災者名などが放送される場合、その中から自分が確認したい特定の個人の安否情報を見つけ出すことが困難であるという課題もある。
【０００５】
本発明の目的は、被災地などの個々の人が自分の安否情報を容易、迅速かつ正確に発信でき、また、その他の地域の人が特定の個人の安否情報を容易、迅速かつ正確に確認できるサーバを含むネットワークおよび安否確認システムを提供することにある。
【課題を解決するための手段】
【０００６】
上記課題を解決するために、本発明は、自己の位置情報を取得して送信可能な端末からの位置情報を含む安否情報を格納し送出するサーバを含むネットワークであって、サーバは、放送局を含む通報先を利用者ごとに登録できる安否情報通報先格納領域を有し、端末から送出されてきた安否情報を、該端末の利用者の安否情報通報先格納領域に登録されている安否情報通報先に送出することを特徴とする。
【０００７】
また、本発明は、自己の位置情報を取得して送信可能な端末と端末からの位置情報を含む安否情報を格納し送出するサーバを含むネットワークと、放送局を含む送信系と、放送受信端末を含む受信系とから構成され、サーバは、放送局を含む通報先を利用者ごとに登録できる安否情報通報先格納領域を有し、端末から送出されてきた安否情報を、該端末の利用者の安否情報通報先格納領域に登録されている安否情報通報先に送出し、放送局は、サーバから送出されてきた安否情報をデータ放送の形で放送受信端末に配信することを特徴とする。
【０００８】
ここで、サーバあるいは放送局に、端末から送出されてきた位置情報を地域識別子へ変換する機能を持たせることができる。また、安否情報を特定して検索可能にする検索用プログラムが放送局を介して放送受信端末にダウンロードされるようにできる。
【発明の効果】
【０００９】
本発明によれば、利用者はサーバにアクセスしてワンタッチで自分の位置を、予め決めるなどしておいた通報先に知らせることができる。したがって、被災地内などの個々の人は自分の安否情報を容易、迅速かつ正確に発信でき、その他の地域などの人は特定の個人の安否情報を容易、迅速かつ正確に確認できる。また、利用者は自分の位置やメッセージを容易かつ正確に放送機関に送出することができ、視聴者は大量の安否情報を確実に受信できるようになる。
【００１０】
また、位置情報を地域識別子へ変換する機能や検索用プログラムのダウンロードにより、データ放送の形で配信される安否情報の中から所望の安否情報を容易に入手できるようになる。また、データ放送のデータ内容や形式の変更があっても、それに対応した検索を可能にする検索用プログラムを放送局から配信することで容易に対処できる。
【発明を実施するための最良の形態】
【００１１】
以下、図面を参照して本発明を説明する。図１は、本発明に係るサーバを含むネットワークおよび安否確認システムの実施形態の概要を示すブロック図である。本実施形態の安否確認システムは、大別して、ネットワーク１と送信系２と受信系３とから構成される。
【００１２】
ネットワーク１は、固定電話が接続される固定電話網、携帯電話やＰＤＡ(personal digital assistannts)などが接続されるモバイル網、パソコンなどの端末が接続されるインターネットを含む。ネットワーク１は、例えば自治体などに設置されたサーバ４や安否確認システム利用者の端末５−１，５−２，・・・も含む。
【００１３】
サーバ４は安否確認システムのセンタとして機能する。すなわち、各利用者の端末５−１，５−２，・・・から送出されてくる安否情報を利用者ごとに格納し、該安否情報をその通報先として登録された端末や送信系２の地上波放送局に送出する。サーバ４は、サーバアドレスとして固定電話番号、携帯電話番号および電子メールアドレス、さらにはＷＥＢアドレスであるＵＲＬを有し、固定電話、携帯電話、パソコンなどからアクセスできるようになっている。
【００１４】
送信系２は、１つあるいは複数の地上波放送局６−１，６−２，・・・を含む。地上波放送局６−１，６−２，・・・は、サーバ４から送出されてきた安否情報をデータ放送の形で配信するデータ放送設備を備えている。
【００１５】
受信系３は、地上波放送局６−１，６−２，・・・から配信されてきたデータを受信する設備、例えば、家庭などに設置された地上波放送の受信設備７、ＣＡＴＶやデジタル衛星放送などの受信設備であるＳＴＢ(settop box)８、車載受信端末９、モバイル端末１０，１１などを含む。受信設備７は、データ放送によるデータを画面表示できるＴＶ端末１２に接続される。
【００１６】
端末５−１，５−２，・・・の少なくとも１つは、ＧＰＳ(global positioning system)を利用して自己の位置を取得し、取得した位置情報を送信することができるＧＰＳ携帯電話であり、これはまた、電子メールシステムやＷＥＢシステムの端末としても機能する。その他の端末は、固定電話、携帯電話、ＰＤＡ、パソコンなどでも構わない。
【００１７】
端末５−１，５−２，・・・は、サーバ４のアドレスである固定電話番号、携帯電話番号、電子メールアドレスあるいはＵＲＬを入力すれば、ネットワーク（固定電話網、モバイル網あるいはインターネット）１を介してサーバ４にアクセスし、それに対して安否情報を送出することができる。また、自己の位置情報を取得し送信可能な端末は、ワンタッチで自己の位置情報を送出することもできる。
【００１８】
次に、図１の実施形態における動作を図２〜図５のフローを参照して説明する。以下では端末５−１，５−２をＧＰＳ携帯電話とし、これから位置情報を含む安否情報を送出する場合を例として説明するが、固定電話やパソコンなどの端末からメッセージなどの安否情報を送出する場合も、安否情報にＧＰＳによる位置情報が含まれない場合があるが、同様である。
【００１９】
まず、この安否情報確認システムを利用しようとする人は、サーバ４に利用登録を行う。利用登録は、利用者自身の名前とともに、利用者識別子としての固定電話番号、携帯電話番号、電子メールアドレス、ＷＥＢシステムの端末ＩＤの内の１つまたは複数を登録することで行われる。
【００２０】
また、利用者自身の安否情報を通報すべき通報先を、例えば通報先の固定電話番号、携帯電話番号、電子メールアドレス、送信系２の地上波放送局６−１，６−２，・・・などの１つまたは複数で登録する。利用登録の結果、サーバ４には利用者ごとに利用者識別子および安否情報通報先が登録され、さらに安否情報を格納できる記憶領域が確保される。以上の利用登録は、携帯電話やその他の端末から、あるいは書類による申し込みなどに基づいてサーバ側で行うことができる。
【００２１】
利用登録がなされれば、利用者は、自分の端末によりサーバ４にアクセスして自分の安否情報をサーバ４に格納し、通報先に容易に通報することができる。
【００２２】
図２は、サーバ４への安否情報格納処理の一例のフローを示している。ここでは、図示のように、予め、利用者「鈴木太郎」について、利用者名「鈴木太郎」、利用者識別子「電子メールアドレス：xxx@yyy.zz、ＷＥＢ端末ＩＤ：abc」、通報先「電子メールアドレス：aaa@bbb.cc、放送局：ABC放送」が登録され、利用者「山田花子」について、利用者名「山田花子」、利用者識別子「携帯電話番号：08022224444、電子メールアドレス：ppp@yyy.zz、ＷＥＢ端末ＩＤ：lmn」、通報先「携帯電話番号：08033337777、放送局：ABC放送」が登録されているものとする。
【００２３】
ＧＰＳ携帯電話５−１から携帯電話番号「08033339999」（サーバアドレス）が入力された場合、モバイル網１−１を通してサーバ４がアクセスされる。サーバ４は、ＧＰＳ携帯電話５−１の携帯電話番号「08022224444」と登録されている利用者識別子(携帯電話番号「08022224444」)を照合して本人認証を行う。その後、ＧＰＳ携帯電話５−１においてＧＰＳから取得された位置情報「2028460」が安否情報として送出されると、この位置情報はモバイル網１−１を通してサーバ４に入力され、利用者「山田花子」の現在位置の位置情報として格納される。
【００２４】
また、ＧＰＳ携帯電話５−２からサーバ４のＷＥＢアドレス（ＵＲＬ）「www.anpi.zz」が入力された場合には、モバイル網１−１およびインターネット１−２を通してサーバ４がアクセスされる。サーバ４は、ＧＰＳ携帯電話５−２の端末ＩＤ「abc」と登録されている利用者識別子（ＷＥＢ端末ＩＤ「abc」）を照合して本人確認を行う。続いて、ＧＰＳ携帯電話５−２においてＧＰＳから取得された位置情報「1028460」が安否情報として送出されると、この位置情報はモバイル網１−１およびインターネット１−２を通してサーバ４に入力され、利用者「鈴木太郎」の現在位置の位置情報として格納される。また、ＧＰＳ携帯電話５−２から、例えば「鈴木家は××公園に集合」などのメッセージが入力されれば、このメッセージも安否情報として格納される。このように、安否情報には携帯電話がＧＰＳから取得した位置情報の他にメッセージなど、利用者の安否に関する各種情報を含ませることができる。
【００２５】
以上のように、予め利用登録した利用者が自己の端末５−１、５−２、・・・からサーバ４にアクセスすると、サーバ４は、端末５−１，５−２，・・・から送出されてきた利用者識別子を登録済みの利用者識別子と照合して利用者が登録済みであることを確認し、その後、端末５−１，５−２，・・・から送出されてきた位置情報やメッセージなどの安否情報を、利用者ごとに確保しておいた記憶領域に格納する。ここで格納される位置情報は、端末５−１，５−２，・・・がＧＰＳ携帯電話である場合、端末５−１，５−２，・・・の現在位置、つまり利用者が位置する現在位置を表している。
【００２６】
サーバ４は、利用者の端末５−１，５−２，・・・から送出されてきた安否情報を格納すると、その安否情報を利用者ごとに予め登録されている通報先に通報する。通報先としては携帯電話などの端末の他、送信系２の地上波放送局６−１，６−２，・・・も登録しておくことができる。通報先として地上波放送局６−１，６−２，・・・が登録されている場合、サーバ４は、利用登録されている全利用者の安否情報を安否情報リストとして作成し、放送局６−１，６−２，・・・に送出する。
【００２７】
図３は、安否情報通報処理の一例のフローを示している。この例では、利用者「鈴木太郎」から送出されてきた安否情報（利用者名「鈴木太郎」、位置情報「1028460」、メッセージ「鈴木家は××公園に集合」）が、予め通報先として登録されたメールアドレス「aaa@bbb.cc」の携帯電話５−３に通報され、利用者「山田花子」から送出された安否情報（利用者名「山田花子」、位置情報「2028460」）が、予め通報先に登録された携帯電話番号「08033337777」の携帯電話５−４に通報される。携帯電話５−３では利用者「鈴木太郎」についての安否情報を知ることができ、携帯電話５−４では利用者名「山田花子」についての安否情報を知ることができる。
【００２８】
また、通報先として地上波放送局６−１，６−２，・・・が登録されている場合には、登録されている地上波放送局６−１，６−２，・・・に全利用者の安否情報リストが送出される。この例では、利用者「鈴木太郎」と「山田花子」の両者とも、通報先として放送局「ABC放送」を登録しているので利用者名「鈴木太郎」とその位置情報「1028460」、利用者名「山田花子」とその位置情報「2028460」が含まれた安否情報リストが放送局「ABC放送」に送出される。
【００２９】
安否情報リストを受け取った放送局「ABC放送」は、安否情報をデータ放送の形で配信する。放送局「ABC放送」からは最終的にデータ放送として安否情報が配信されるが、安否情報リストからデータ放送フォーマットへの変換は、サーバ４あるいは放送局「ABC放送」内で行うことができる。また、データ放送フォーマットへの変換は、人の介在により行ってもよいが、緊急を要するという点からは自動的に行われるようにしておくのがよい。
【００３０】
図４は、安否情報配信処理の一例のフローを示している。放送局「ABC放送」では、まず、受け取った安否情報リストに載っている各安否情報の位置情報を地域識別子に変換する。なお、この地域識別子への変換はサーバ４に行わせることもできる。地域識別子は例えば郵便番号であり、後述するように、ＴＶ端末１２で特定地域の安否情報のみに絞り込んで表示させる際に利用される。
【００３１】
図４の例の場合、放送局「ABC放送」は、利用者「鈴木太郎」の位置情報「1028460」、利用者「山田花子」の位置情報「2028460」をそれぞれ、地域識別子「4709876」、「5698013」に変換し、利用者「鈴木太郎」についての安否情報（地域識別子「4709876」、位置情報「1028460」、利用者名「鈴木太郎」、メッセージ「鈴木家は××公園に集合」）をデータ１として配信し、利用者「山田花子」についての安否情報（地域識別子「5698013」、位置情報「2028460」、利用者名「山田花子」）をデータ２として配信する。
【００３２】
受信系３のＴＶ端末１２では、放送局「ABC放送」からデータ放送の形で配信されてきた安否情報をテロップにより画面表示する。データ放送であるので、この画面表示の際に、ＴＶ端末１２におけるローカルな検索機能を使用して、例えば名前で特定される人や特定のエリアにいる人の安否情報のみに絞り込んで表示させることができる。
【００３３】
例えば、図４に示すように、ＴＶ端末１２−１とＴＶ端末１２−２がデータ放送の配信を受け、ＴＶ端末１２−１では地域識別子「4709876」が設定され、ＴＶ端末１２−２では地域識別子が設定されていないとすると、ＴＶ端末１２−１は地域識別子「4709876」が付加されたデータ１のみを受信して画面表示し、ＴＶ端末１２−２はデータ１とデータ２の両者を受信して画面表示する。したがって、ＴＶ端末１２−１では利用者「鈴木太郎」についての安否情報のみが表示され、ＴＶ端末１２−２では利用者「鈴木太郎」と「山田花子」の両者についての安否情報が表示される。
【００３４】
ＴＶ端末１２におけるローカルな検索機能は、別途、地上波放送局６−１，６−２，・・・から検索用プログラムを配信し、これをＴＶ端末１２内に蓄積し、蓄積された検索用プログラムを働かせてＴＶ端末１２内に蓄積した安否情報から所望の安否情報を検索することにより達成できる。
【００３５】
図５は、検索機能実現処理の一例のフローを示している。ここでは、特定の名前の人の安否情報のみに絞り込んで表示させる利用者名検索用プログラムを放送局から配信する例を示している。ＴＶ端末１２−１，１２−２は、放送局から配信されてきた利用者名検索用プログラムを蓄積することにより利用者名による検索機能を実現する。
【００３６】
放送局「ABC放送」からデータ１（地域識別子「4709876」、位置情報「1028460」、利用者名「鈴木太郎」、メッセージ「鈴木家は××公園に集合」）とデータ２（地域識別子「5698013」、位置情報「2028460」、利用者名「山田花子」）が配信されている状態において、ＴＶ端末１２−１で利用者名検索用プログラムを機能させて利用者名「鈴木太郎」についての安否情報を検索すると、位置情報「1028460」、メッセージ「鈴木家は××公園に集合」が画面表示される。また、ＴＶ端末１２−２で利用者名検索用プログラムを機能させて利用者名「山田花子」についての安否情報を検索すると、位置情報「2028460」が画面表示される。
【００３７】
以上、実施形態を説明したが、本発明は上記実施形態に限定されるものではなく、種々の変形が可能である。例えば、上記実施形態は、利用登録を予め行うものであるが、利用者登録を予め行うことなく、安否情報格納の際に同時に行うようにしてもよい。また、サーバから放送局への安否情報リストの送出は、端末から安否情報が送出されてきた都度あるいは放送局から要求された時点に行うようにすることができ、放送局は、サーバから安否情報が送出されてきた都度あるいは一定時間ごとに安否についてのデータ放送を行うようにすることができる。また、データ放送では、データをテロップの形で画面隅部に流して表示するのが普通であるが、ＴＶ端末においてこの表示をリモコン操作などで一時的に停止し得るようにすれば視聴者が自分が確認したい安否情報をより確実に視認できるようになる。
【図面の簡単な説明】
【００３８】
【図１】本発明に係るサーバを含むネットワークおよび安否確認システムの実施形態の概要を示すブロック図である。
【図２】安否情報格納処理の一例を示すフロー図である。
【図３】安否情報通報処理の一例を示すフロー図である。
【図４】安否情報配信処理の一例を示すフロー図である。
【図５】検索機能実現処理の一例を示すフロー図である。
【符号の説明】
【００３９】
１・・・ネットワーク、１−１・・・モバイル網、１−２・・・インターネット、２・・・送信系、３・・・受信系、４・・・サーバ、５−１，５−２・・・端末（携帯電話）、６−１，６−２・・・地上波放送局、７・・・受信設備、８・・・ＳＴＢ、９・・・車載受信端末、１０，１１・・・モバイル端末、１２，１２−１，１２−２・・・ＴＶ端末
【図１】
2005276062.tif 000003
【図２】
2005276062.tif 000004
【図３】
2005276062.tif 000005
【図４】
2005276062.tif 000006
【図５】
2005276062.tif 000007